(57)【要約】【課題】操作性を向上できる管楽器用のバルブを提供する。【解決手段】複数の管路部３が接続された固定側ディスク２０と、複数の管路部のうち二つの管路部を中継する中継管路部５が接続され、固定側ディスクに重ねて配される可動側ディスク３０と、を備え、可動側ディスクは、固定側ディスク及び可動側ディスクの配列方向を回転軸Ａ１として、固定側ディスクに対して回転可能に取り付けられ、互いに面接触する固定側ディスク及び可動側ディスクの少なくとも一方の接触面２３，３３に、凹部３６が形成されている管楽器用のバルブ１０を提供する。【選択図】図３
2018151522.tif 000002
【特許請求の範囲】
【請求項１】
複数の管路部が接続された固定側ディスクと、
複数の管路部のうち二つの管路部を中継する中継管路部が接続され、前記固定側ディスクに重ねて配される可動側ディスクと、を備え、
前記可動側ディスクは、前記固定側ディスク及び前記可動側ディスクの配列方向を軸として、前記固定側ディスクに対して回転可能に取り付けられ、
互いに面接触する前記固定側ディスク及び前記可動側ディスクの少なくとも一方の接触面に、凹部が形成されている管楽器用のバルブ。
【請求項２】
前記凹部は、前記接触面のうち、前記接触面に開口する孔の開口端と間隔をあけた領域に形成されている請求項１に記載の管楽器用のバルブ。
【請求項３】
前記凹部は、前記接触面のうち、前記接触面の周縁と間隔をあけた領域に形成されている請求項１又は請求項２に記載の管楽器用のバルブ。
【請求項４】
前記可動側ディスクを前記固定側ディスクに向けて前記配列方向に付勢する付勢部材を備える請求項１から請求項３のいずれか一項に記載の管楽器用のバルブ。
【請求項５】
前記可動側ディスクを前記固定側ディスクに押し付ける前記付勢部材の付勢力を調整する調整機構を備える請求項４に記載の管楽器用のバルブ。
【発明の詳細な説明】
【技術分野】
【０００１】
本発明は、管楽器用のバルブに関する。
【背景技術】
【０００２】
管楽器（特に金管楽器）は、音高が変わるように主管の管長を変更する操作を行うバルブを備えている。管楽器用のバルブには、二枚のディスク（固定側ディスク及び可動側ディスク）を重ね合せ、二枚のディスクの重ね合せ方向を軸として可動側ディスクを固定側ディスクに対して回転させることにより、主管の管長を変更するディスクバルブがある（例えば非特許文献１参照）。
【先行技術文献】
【非特許文献】
【０００３】
【非特許文献１】Lance Whitehead and Arnold Myers、“The Kohler Family of Brasswind Instrument Makers”、HISTORIC BRASS SOCIETY JOURNAL - Volume 16 - 2004、p.89-124
【発明の概要】
【発明が解決しようとする課題】
【０００４】
ディスクバルブにおいては、互いに接触する可動側ディスク及び固定側ディスクの接触面同士の摺動抵抗が大きくなることがある。この場合、大きな力で可動側ディスクを回転させる必要があったり、演奏者の操作に対する可動側ディスクの追従性が低くなったりして、管楽器の演奏を円滑に行うことが難しい、という問題がある。
【０００５】
本発明は、上述した事情に鑑みてなされたものであって、操作性を向上できる管楽器用のバルブを提供することを目的とする。
【課題を解決するための手段】
【０００６】
上記課題を解決するために、本発明の管楽器用のバルブは、複数の管路部が接続された固定側ディスクと、複数の管路部のうち二つの管路部を中継する中継管路部が接続され、前記固定側ディスクに重ねて配される可動側ディスクと、を備え、前記可動側ディスクは、前記固定側ディスク及び前記可動側ディスクの配列方向を軸として、前記固定側ディスクに対して回転可能に取り付けられ、互いに面接触する前記固定側ディスク及び前記可動側ディスクの少なくとも一方の接触面に、凹部が形成されている。
【発明の効果】
【０００７】
本発明によれば、可動側ディスクの接触面と固定側ディスクの接触面との接触面積を減らすことができる。これにより、可動側ディスク及び固定側ディスクの接触面同士の摺動抵抗を減らすことができる。したがって、バルブの操作性を向上することができる。
【図面の簡単な説明】
【０００８】
【図１】本発明の一実施形態に係るバルブを含む管楽器の要部を示す側面図である。
【図２】本発明の一実施形態に係るバルブを図１のII方向から見た正面図である。
【図３】図１，２のバルブを示す拡大断面図である。
【図４】図１−３のバルブにおける固定側ディスクを示す拡大斜視図である。
【図５】図１−３のバルブにおける可動側ディスクを示す拡大斜視図である。
【図６】本発明の他の実施形態に係るバルブの可動側ディスクを示す拡大斜視図である。
【発明を実施するための形態】
【０００９】
以下、図１−５を参照して本発明の一実施形態について説明する。
図１，２に示すように、本実施形態に係る管楽器用のバルブ１０は、管楽器１の主管２の長さを変更するためのものである。管楽器１の主管２は、マウスピースからベルまで延びる管であり、複数の管路部３によって構成されている。管楽器１は、主管２の他に、バルブ１０と、バルブ１０を操作する操作レバー４と、を備える。
【００１０】
図１−５に示すように、管楽器１に備えるバルブ１０は、固定側ディスク２０と、固定側ディスク２０に重ねて配される可動側ディスク３０と、を備える。可動側ディスク３０は、固定側ディスク２０及び可動側ディスク３０の配列方向を軸（回転軸Ａ１）として、固定側ディスク２０に対して回転可能に取り付けられている。
【００１１】
図１−４に示すように、固定側ディスク２０は、管楽器１の本体部に対して移動不能に固定されている。管楽器１の本体部は、主管２の管路部３や操作レバー４等を含む。固定側ディスク２０には、主管２を構成する複数の管路部３が接続されている。
本実施形態の固定側ディスク２０には、複数の管路部３として、二つの主管路部３Ａ及び一つの迂回管路部３Ｂが接続されている。主管路部３Ａは、常に管楽器１の主管２を構成するものである。迂回管路部３Ｂは、主管２の長さを延長する場合にのみ、主管路部３Ａと共に主管２を構成するものである。
【００１２】
固定側ディスク２０は、貫通して形成された複数の管路用孔２１を有する。各管路用孔２１の貫通方向の第一端には、各管路部３の端部が接続されている。各管路用孔２１の貫通方向の第二端（開口端２２）は、後述する可動側ディスク３０に面接触する固定側ディスク２０の接触面２３に開口している。固定側ディスク２０の接触面２３は、前述した回転軸Ａ１に直交している。
【００１３】
本実施形態の固定側ディスク２０には、四つの管路用孔２１が形成されている。四つの管路用孔２１は、それぞれ二つの主管路部３Ａの一端、迂回管路部３Ｂの両端に接続されている。四つの管路用孔２１の開口端２２は、回転軸Ａ１を中心とする同一円周上において周方向に等間隔で配列されている。二つの主管路部３Ａに各々接続された固定側ディスク２０の二つの第一管路用孔２１Ａは、回転軸Ａ１の周方向に互いに隣り合う位置に配されている。同様に、迂回管路部３Ｂの両端に接続された固定側ディスク２０の二つの第二管路用孔２１Ｂは、回転軸Ａ１の周方向に互いに隣り合う位置に配されている。
【００１４】
本実施形態においては、固定側ディスク２０が円板状に形成されている。固定側ディスク２０の接触面２３は、円板状に形成された固定側ディスク２０の板厚方向の一方側に向く平坦面である。固定側ディスク２０の管路用孔２１は、固定側ディスク２０の板厚方向に貫通して形成されている。
【００１５】
図１−３，５に示すように、可動側ディスク３０には、固定側ディスク２０に接続された複数の管路部３のうち二つの管路部３を中継する中継管路部５が接続されている。本実施形態において、可動側ディスク３０には、二つの中継管路部５が接続されている。
【００１６】
可動側ディスク３０は、固定側ディスク２０と同様に、貫通して形成された複数の管路用孔３１を有する。各管路用孔３１の貫通方向の第一端には、中継管路部５の端部が接続されている。各管路用孔３１の貫通方向の第二端（開口端３２）は、前述した固定側ディスク２０の接触面２３に接触する可動側ディスク３０の接触面３３に開口している。可動側ディスク３０の接触面３３は、前述した回転軸Ａ１に直交している。
【００１７】
本実施形態の可動側ディスク３０には、四つの管路用孔３１が形成されている。四つの管路用孔３１は、それぞれ二つの中継管路部５の両端に接続されている。四つの管路用孔３１の開口端３２は、回転軸Ａ１を中心とする同一円周上において周方向に等間隔で配列されている。第一中継管路部５Ａの両端に接続された可動側ディスク３０の二つの第三管路用孔３１Ａは、回転軸Ａ１の周方向に互いに隣り合う位置に配されている。同様に、第二中継管路部５Ｂの両端に接続された可動側ディスク３０の二つの第四管路用孔３１Ｂは、回転軸Ａ１の周方向に互いに隣り合う位置に配されている。
【００１８】
本実施形態の可動側ディスク３０は、固定側ディスク２０と同様に円板状に形成されている。可動側ディスク３０の接触面３３は、円板状に形成された可動側ディスク３０の板厚方向の一方側に向く平坦面である。可動側ディスク３０の管路用孔３１は、可動側ディスク３０の板厚方向に貫通して形成されている。可動側ディスク３０は、固定側ディスク２０に対してこれらの板厚方向に重ねて配される。
【００１９】
本実施形態のバルブ１０は、固定側ディスク２０及び可動側ディスク３０の回転軸Ａ１が互いにずれないように構成されている。以下、この点について説明する。
図３−５に示すように、固定側ディスク２０及び可動側ディスク３０の一方には、回転軸Ａ１を中心とする円柱状に形成された軸部２４が形成されている。固定側ディスク２０及び可動側ディスク３０の他方には、円柱状の軸部２４の外面に面接触する内面を有し、軸部２４が挿入される軸受凹部３４が形成されている。本実施形態においては、軸部２４が固定側ディスク２０に形成され、軸受凹部３４が可動側ディスク３０に形成されている。軸部２４は、固定側ディスク２０の接触面２３から回転軸Ａ１方向に突出している。軸受凹部３４は、可動側ディスク３０の接触面３３から回転軸Ａ１方向に窪んでいる。
【００２０】
本実施形態のバルブ１０では、回転軸Ａ１方向における軸受凹部３４の長さが、可動側ディスク３０の板厚よりも大きい。具体的に説明すれば、可動側ディスク３０には、回転軸Ａ１を中心とする円柱部３５が、可動側ディスク３０の接触面３３と反対側に向く面から突出して形成されている。軸受凹部３４は、この円柱部３５内まで回転軸Ａ１方向に延長して形成されている。
【００２１】
図１，２に示すように、可動側ディスク３０は、管楽器１の演奏者による操作レバー４の操作に連動して固定側ディスク２０に対して回転する。操作レバー４は、例えば可動側ディスク３０に一体に形成され、可動側ディスク３０と共に回転軸Ａ１を中心に回転可能とされてもよい。本実施形態の操作レバー４は、直線方向（図１において上下方向）に移動可能とされている。操作レバー４と可動側ディスク３０とは、従来周知のコードアクションやボールジョイント、リンク機構など、操作レバー４の直線運動を可動側ディスク３０の回転運動に変換する運動変換機構によって連結されている。
【００２２】
また、本実施形態の操作レバー４は、バネ等のレバー付勢部材（不図示）よって操作レバー４の移動方向の一方側（図１において上方向）に付勢されている。このため、演奏者が、操作レバー４をその移動方向の他方側（図１において下方向）に移動させるように操作した後、操作レバー４から手を離すと、操作レバー４がレバー付勢部材の付勢力によって移動方向の一方側に移動する。すなわち、レバー付勢部材の付勢力によって操作レバー４及び可動側ディスク３０を所定の位置（初期位置）に戻すことができる。
【００２３】
可動側ディスク３０は、規制部材（不図示）によって所定角度の範囲で固定側ディスク２０に対して回転可能とされている。本実施形態において、可動側ディスク３０は、９０度の範囲で固定側ディスク２０に対して回転可能とされている。
【００２４】
以上のように構成される本実施形態のバルブ１０を備える管楽器１では、以下のようにして主管２の長さを変更することができる。
図２に示すように、可動側ディスク３０の二つの第三管路用孔３１Ａが、それぞれ固定側ディスク２０の二つの第一管路用孔２１Ａと回転軸Ａ１方向に重なるように、可動側ディスク３０を固定側ディスク２０に対して配した状態では、二つの主管路部３Ａが第一中継管路部５Ａを介して連通する。この状態において、主管２は、二つの主管路部３Ａ及び第一中継管路部５Ａを含んで構成される。すなわち、主管２には、迂回管路部３Ｂが含まれない。本実施形態では、上記した可動側ディスク３０の位置を、演奏者によって操作されていない初期位置とする。
【００２５】
可動側ディスク３０を初期位置から固定側ディスク２０に対して図２において矢印Ｄ１で示す方向に９０度回転させた場合には、可動側ディスク３０の二つの第三管路用孔３１Ａが、それぞれ固定側ディスク２０の一の第一管路用孔２１Ａ及び一の第二管路用孔２１Ｂに重なる。また、可動側ディスク３０の二つの第四管路用孔３１Ｂが、それぞれ固定側ディスク２０の他の第一管路用孔２１Ａ及び他の第二管路用孔２１Ｂに重なる。この状態において、主管２は、二つの主管路部３Ａ、二つの中継管路部５、及び、迂回管路部３Ｂを含んで構成される。すなわち、主管２の長さを延長することができる。
【００２６】
図３−５に示すように、管楽器用のバルブ１０においては、互いに面接触する固定側ディスク２０及び可動側ディスク３０の少なくとも一方の接触面２３，３３に、凹部３６が形成されている。凹部３６は、例えば固定側ディスク２０や可動側ディスク３０を貫通して形成されてもよいが、本実施形態では、貫通しない有底に形成されている。本実施形態では、凹部３６が可動側ディスク３０のみに形成され、固定側ディスク２０には形成されていない。
【００２７】
凹部３６は、可動側ディスク３０の接触面３３を回転軸Ａ１方向から見て、接触面３３のうち、接触面３３の周縁（外縁）、複数の管路用孔３１の開口端３２、及び、軸受凹部３４の開口端３７と間隔をあけた領域に形成されている。このため、可動側ディスク３０の接触面３３のうち固定側ディスク２０の接触面２３に接触する領域には、接触面３３の周縁に沿って延びる環状の第一接触領域３３Ａと、各管路用孔３１の開口端３２の縁に沿って延びる環状の第二接触領域３３Ｂと、軸受凹部３４の開口端３７の縁に沿って延びる環状の第三接触領域３３Ｃと、がある。
【００２８】
凹部３６は、例えば一つだけ形成されてもよいが、本実施形態においては複数に分けて形成されている。具体的に、接触面３３に形成される凹部３６には、第一凹部３６Ａと、複数の第二凹部３６Ｂとがある。第一凹部３６Ａは、第一接触領域３３Ａと、複数の第二接触領域３３Ｂのうち回転軸Ａ１の径方向外側に位置する領域と、の間に形成されている。各第二凹部３６Ｂは、回転軸Ａ１の周方向に隣り合う第二接触領域３３Ｂの間に形成されている。複数の第二凹部３６Ｂは、例えば互いにつながっていてもよい。本実施形態では、回転軸Ａ１の径方向に隣り合う第二接触領域３３Ｂと第三接触領域３３Ｃとが互いにつながっているため、複数の第二凹部３６Ｂは互いにつながっていない。
【００２９】
第一凹部３６Ａと第二凹部３６Ｂとの間には、固定側ディスク２０の接触面２３に接触する可動側ディスク３０の接触面３３の領域として、第四接触領域３３Ｄが形成されている。第四接触領域３３Ｄは、回転軸Ａ１の周方向に隣り合う第二接触領域３３Ｂ同士をつなぐように、回転軸Ａ１の周方向に延びて形成されている。すなわち、第四接触領域３３Ｄは、回転軸Ａ１を中心とする円弧状に形成されている。
【００３０】
図３に示すように、本実施形態のバルブ１０は、固定側ディスク２０及び可動側ディスク３０の接触面３３同士を密着した状態に保持するディスク保持部５０を備える。ディスク保持部５０は、固定側ディスク２０と可動側ディスク３０との界面（接触面２３，３３）における主管２の気密性を保つ役割を果たす。
ディスク保持部５０は、例えば周方向に直交する断面がＣ字状であるリング状に形成され、固定側ディスク２０及び可動側ディスク３０をその配列方向（回転軸Ａ１方向）から挟み込む保持リングであってもよい。
【００３１】
本実施形態のディスク保持部５０は、可動側ディスク３０を固定側ディスク２０に向けて回転軸Ａ１方向に付勢するディスク付勢部材（付勢部材）５１を備える。また、本実施形態のディスク保持部５０は、可動側ディスク３０を固定側ディスク２０に押し付けるディスク付勢部材５１の付勢力を調整する調整機構５２を備える。
【００３２】
ディスク付勢部材５１は、少なくとも弾性的に変形可能な弾性体であればよく、例えばゴムや板ばねなどであってもよい。本実施形態のディスク付勢部材５１は、コイルばねである。ディスク付勢部材５１は、回転軸Ａ１方向において可動側ディスク３０に対して固定側ディスク２０と反対側に位置する付勢支持部５３と、可動側ディスク３０との間において、弾性的に変形させた状態で配されている。付勢支持部５３は、例えば管楽器１の本体部や固定側ディスク２０に固定されてもよい。本実施形態の付勢支持部５３は、後述する調整機構５２の構成に含まれている。
【００３３】
調整機構５２は、前述した付勢支持部５３を、管楽器１の本体部や固定側ディスク２０に対して回転軸Ａ１方向に移動可能とする機構である。調整機構５２は、付勢支持部５３を回転軸Ａ１方向の所定位置において保持するように構成されるとよい。以下、本実施形態の調整機構５２について、より具体的に説明する。
【００３４】
本実施形態の調整機構５２は、ネジ５４及びナット５５を備える。ネジ５４は、頭部５４Ａと軸部５４Ｂとを有する。ネジ５４の軸部５４Ｂは、その中心軸が回転軸Ａ１と一致するように、固定側ディスク２０及び可動側ディスク３０を貫通している。この状態において、ネジ５４の頭部５４Ａは、回転軸Ａ１方向において可動側ディスク３０に対して固定側ディスク２０と反対側に配されている。ナット５５は、固定側ディスク２０から突出したネジ５４の軸部５４Ｂの先端部に噛み合うように取り付けられている。ナット５５は、固定側ディスク２０のうち接触面２３と反対側に向く面に接触する又は押し付けられる。
【００３５】
ディスク付勢部材５１は、ネジ５４の頭部５４Ａと可動側ディスク３０との間に配されている。より具体的に、コイルばねであるディスク付勢部材５１には、ネジ５４の軸部５４Ｂが挿通されている。また、本実施形態では、ネジ５４の頭部５４Ａとディスク付勢部材５１との間に第一ワッシャ５６Ａが設けられ、ディスク付勢部材５１と可動側ディスク３０との間に第二ワッシャ５６Ｂが設けられている。各ワッシャ５６Ａ，５６Ｂには、ネジ５４の軸部５４Ｂが挿通されている。本実施形態では、ネジ５４の頭部５４Ａ及び第一ワッシャ５６Ａが、前述した付勢支持部５３を構成している。
【００３６】
以上のように構成される本実施形態の調整機構５２では、ネジ５４とナット５５とを相対的に回転させることで、回転軸Ａ１方向におけるネジ５４の頭部５４Ａ及び第一ワッシャ５６Ａと可動側ディスク３０との間隔を調整することができる。これにより、可動側ディスク３０を固定側ディスク２０に押し付けるディスク付勢部材５１の付勢力を調整することができる。
【００３７】
本実施形態の調整機構５２では、二つのナット５５がネジ５４の軸部５４Ｂの先端部に取り付けられている。すなわち、本実施形態の調整機構５２では、ダブルナットによって、ネジ５４及びナット５５によるディスク付勢部材５１の挟み込み状態が緩むことを防いでいる。これにより、付勢支持部５３を回転軸Ａ１方向の所定位置において保持することができる。
【００３８】
本実施形態のバルブ１０では、可動側ディスク３０のうち接触面３３と反対側に向く面に、ネジ５４の頭部５４Ａ、ワッシャ及びディスク付勢部材５１を収容する第一収容凹部３８が形成されている。図示例において、第一収容凹部３８は、可動側ディスク３０の円柱部３５の突出方向先端に形成されているがこれに限ることはない。
【００３９】
また、本実施形態では、固定側ディスク２０のうち接触面２３と反対側に向く面に、ネジ５４の軸部５４Ｂの先端部に取り付けられたナット５５を収容する第二収容凹部２６が形成されている。図示例において、第二収容凹部２６は、固定側ディスク２０のうち接触面２３と反対側に向く面から突出する突起部２５の先端に形成されているが、これに限ることはない。
【００４０】
固定側ディスク２０や可動側ディスク３０に、上記の収容凹部２６，３８が形成されていることで、管楽器１の演奏者が、不意にネジ５４やナット５５、ディスク付勢部材５１に触れることを好適に抑制できる。したがって、ディスク付勢部材５１の付勢力が不意に変化してしまうことを好適に抑制できる。
【００４１】
図３，４に示すように、本実施形態のバルブ１０においては、固定側ディスク２０が、接触面２３の周縁において回転軸Ａ１方向に突出する環状壁部２７を備える。環状壁部２７は、円環状に形成されている。固定側ディスク２０と可動側ディスク３０とを重ね合せた状態では、固定側ディスク２０の環状壁部２７の内周面に、可動側ディスク３０の外周面が対向する又は接触する。
【００４２】
上記した本実施形態のバルブ１０において、可動側ディスク３０の重量は大きい方が好ましい。この場合、可動側ディスク３０のうち回転軸Ａ１の径方向における内側部分の重量は、可動側ディスク３０のうち回転軸Ａ１の径方向における外側部分の重量よりも大きくてもよい。例えば、可動側ディスク３０の円柱部３５の重さを、円板状に形成された可動側ディスク３０の本体部分の重さよりも大きくしてもよい。
【００４３】
以上説明したように本実施形態の管楽器用のバルブ１０によれば、固定側ディスク２０及び可動側ディスク３０の少なくとも一方の接触面２３，３３に、有底の凹部３６が形成されている。このため、可動側ディスク３０の接触面３３と固定側ディスク２０の接触面２３との接触面積を減らすことができる。これにより、可動側ディスク３０を固定側ディスク２０に対して回転させる際に生じる固定側ディスク２０及び可動側ディスク３０の接触面２３，３３同士の摺動抵抗を減らすことができる。例えば、可動側ディスク３０を固定側ディスク２０に押し付けるディスク付勢部材５１の付勢力が大きくても、可動側ディスク３０及び固定側ディスク２０の接触面２３，３３同士の摺動抵抗を小さく抑えることができる。したがって、バルブ１０の操作性を向上することができる。
【００４４】
例えば、可動側ディスク３０及び固定側ディスク２０の接触面２３，３３同士の摺動抵抗が大きいと、演奏者は大きな力で可動側ディスク３０を回転させる必要がある。また、演奏者の操作により可動側ディスク３０を初期位置から固定側ディスク２０に対して回転させると、可動側ディスク３０が初期位置に戻るまで時間がかかる。すなわち、バルブ１０の追従性が低い。
一方、可動側ディスク３０及び固定側ディスク２０の接触面２３，３３同士の摺動抵抗が小さい場合には、演奏者は小さな力で可動側ディスク３０を回転させることができる。また、演奏者の操作により可動側ディスク３０を初期位置から固定側ディスク２０に対して回転させた後、短時間で可動側ディスク３０を初期位置に戻すことができる。すなわち、バルブ１０の追従性を向上できる。
【００４５】
また、本実施形態の管楽器用のバルブ１０によれば、有底の凹部３６は、固定側ディスク２０や可動側ディスク３０の接触面２３，３３のうち、接触面２３，３３の周縁や、接触面２３，３３に開口する孔（管路用孔２１，３１、軸受凹部３４など）の開口端２２，３２，３７と間隔をあけた領域に形成されている。このため、凹部３６が、主管２（主管２内の空間）やバルブ１０の外部（外部空間）などとつながることを防止できる。すなわち、固定側ディスク２０と可動側ディスク３０との界面（接触面２３，３３）における主管２の気密性を確保することができる。
【００４６】
また、本実施形態の管楽器用のバルブ１０は、可動側ディスク３０を固定側ディスク２０に向けて付勢するディスク付勢部材５１を備える。これにより、管楽器１の演奏時において主管２内の気圧が増大しても、ディスク付勢部材５１の付勢力によって可動側ディスク３０が固定側ディスク２０から浮き上がることを好適に抑制できる。すなわち、固定側ディスク２０と可動側ディスク３０との界面（接触面２３，３３）における主管２の気密性を確保することができる。
また、ディスク付勢部材５１によって可動側ディスク３０を固定側ディスク２０に付勢する構成は、前述した保持リング等と比較して、バルブ１０を製造する際の加工精度が要求されないため、主管２の気密性を簡単に確保できる。
【００４７】
また、本実施形態の管楽器用のバルブ１０は、可動側ディスク３０を固定側ディスク２０に押し付けるディスク付勢部材５１の付勢力を調整する調整機構５２を備える。これにより、管楽器１の演奏方法に応じて、可動側ディスク３０と固定側ディスク２０との摺動抵抗、及び、主管２の気密性を適切に調整することが可能となる。
例えば、管楽器１の演奏時に、主管２に吹き込む息が弱いことで主管２内の気圧上昇が小さくなる場合には、主管２の気密性を確保できる程度に調整機構５２により付勢部材の付勢力を弱めることで、可動側ディスク３０と固定側ディスク２０との摺動抵抗を減らすことができる。これにより、バルブ１０の操作性をさらに向上させることができる。一方、管楽器１の演奏時に、主管２に吹き込む息が強いことで主管２内の気圧上昇が大きくなる場合には、調整機構５２によりディスク付勢部材５１の付勢力を強めることで、主管２の気密性を十分に確保できる。
【００４８】
また、本実施形態の管楽器用のバルブ１０によれば、固定側ディスク２０及び可動側ディスク３０の少なくとも一方の接触面２３，３３に、有底の凹部３６が形成されていることで、以下の効果も奏する。
例えば固定側ディスク２０の接触面２３と可動側ディスク３０の接触面３３との間に、主管２の気密性の確保や、固定側ディスク２０と可動側ディスク３０との摺動性の向上に寄与するオイルやグリス等の潤滑剤を介在させる場合、潤滑剤を有底の凹部３６に貯め込むことも可能となる。これにより、潤滑剤をより長い期間にわたって固定側ディスク２０の接触面２３と可動側ディスク３０の接触面３３との間に介在させることができる。すなわち、潤滑剤の使用による気密性の確保や摺動性の向上を長期間にわたって持続することが可能となる。
【００４９】
また、本実施形態の管楽器用のバルブ１０によれば、固定側ディスク２０が可動側ディスク３０を囲む環状壁部２７を備える。このため、上記した潤滑剤が固定側ディスク２０の接触面２３と可動側ディスク３０の接触面３３との間から漏れ出すことを効果的に抑制又は防止することができる。
【００５０】
また、本実施形態の管楽器用のバルブ１０において、可動側ディスク３０の重量が大きい場合には、管楽器１の演奏時において主管２内の気圧が急激に増大しても、可動側ディスク３０の慣性力によって可動側ディスク３０が固定側ディスク２０から浮き上がることを好適に抑制できる。すなわち、主管２の気密性を効果的に確保することができる。
【００５１】
また、本実施形態の管楽器用のバルブ１０において、可動側ディスク３０のうち回転軸Ａ１の径方向における内側部分の重量が、可動側ディスク３０のうち回転軸Ａ１の径方向における外側部分の重量よりも大きい場合には、可動側ディスク３０の内側部分と外側部分とで重量が等しい場合や、可動側ディスク３０の外側部分の重量が内側部分の重量よりも大きい場合と比較して、可動側ディスク３０の回転に要するトルクを小さく抑えることができる。すなわち、可動側ディスク３０の重量を大きくしても、小さな力で可動側ディスク３０を回転させることができる。
【００５２】
以上、本発明について詳細に説明したが、本発明は上記実施形態に限定されるものではなく、本発明の趣旨を逸脱しない範囲において種々の変更を加えることが可能である。
【００５３】
本発明の管楽器用のバルブにおいて、凹部は、例えば、可動側ディスクや固定側ディスクの接触面のうち、接触面の周縁領域と、軸（回転軸）を中心とする円環状に形成されて接触面に開口する複数の孔の開口端を一括して囲む円環領域と、の間の領域に形成されてよい。
図６に例示する構成においては、第一凹部３６Ａが、可動側ディスク３０の接触面３３のうち、第一接触領域３３Ａ（周縁領域）と、回転軸Ａ１を中心とする円環状に形成されて接触面３３に開口する孔（管路用孔３１、軸受凹部３４）の開口端３２，３７を一括して囲む第四接触領域３３Ｄ（円環領域）と、の間の領域に形成されている。
【００５４】
第四接触領域３３Ｄは、例えば複数の管路用孔３１の開口端３２の縁に形成された複数の第二接触領域３３Ｂと間隔をあけて形成されてもよい。図６においては、第四接触領域３３Ｄが、複数の第二接触領域３３Ｂの外接円となるように複数の第二接触領域３３Ｂとつながっている。
【００５５】
第一凹部３６Ａが上記した接触面３３の領域に形成されている場合には、以下の効果を奏する。可動側ディスク３０を固定側ディスク２０に対して回転させている途中段階（例えば初期位置から４５度回転させた段階）であっても、第一凹部３６Ａが固定側ディスク２０や可動側ディスク３０の接触面２３，３３に開口する孔（管路用孔２１，３１）とつながることを防止できる。このため、オイルやグリスなどの潤滑剤を第一凹部３６Ａに貯め込んでも、潤滑剤が可動側ディスク３０の回転時に第一凹部３６Ａから管路用孔２１，３１に漏れ出すことを防止できる。すなわち、潤滑剤を第一凹部３６Ａに好適に保持することができる。
【００５６】
本発明の管楽器用のバルブにおいて、固定側ディスク及び可動側ディスクの少なくとも一方が、回転軸方向において弾性的に変形可能である場合、ディスク保持部は、例えば固定側ディスク及び可動側ディスクを回転軸方向から締結するネジ及びナットであってもよい。
【００５７】
本発明の管楽器用のバルブは、同一の管楽器に一つ又は複数設けられてよい。
【符号の説明】
【００５８】
１…管楽器、２…主管、３…管路部、３Ａ…主管路部、３Ｂ…迂回管路部、４…操作レバー、５…中継管路部、５Ａ…第一中継管路部、５Ｂ…第二中継管路部、１０…バルブ、２０…固定側ディスク、２１…管路用孔、２２…開口端、２３…接触面、２４…軸部、２５…突起部、２６…第二収容凹部、２７…環状壁部、３０…可動側ディスク、３１…管路用孔、３２…開口端、３３…接触面、３３Ａ…第一接触領域、３３Ｂ…第二接触領域、３３Ｃ…第三接触領域、３３Ｄ…第四接触領域、３４…軸受凹部、３５…円柱部、３６…凹部、３６Ａ…第一凹部、３６Ｂ…第二凹部、３７…開口端、３８…第一収容凹部、５０…ディスク保持部、５１…ディスク付勢部材、５２…調整機構、５３…付勢支持部、５４…ネジ、５４Ａ…頭部、５４Ｂ…軸部、５５…ナット、５６Ａ…第一ワッシャ、５６Ｂ…第二ワッシャ、Ａ１…回転軸（軸）
【図１】
2018151522.tif 000003
【図２】
2018151522.tif 000004
【図３】
2018151522.tif 000005
【図４】
2018151522.tif 000006
【図５】
2018151522.tif 000007
【図６】
2018151522.tif 000008